(57)【要約】  無線通信システム内で肯定応答（ＡＣＫ）情報を送信するための技術が記述される。このシステムは、空間分割多元接続（ＳＤＭＡ）を用いた同じダウンリンクリソース上の複数のユーザ装置（ＵＥ）へのデータ伝送をサポートする。基地局は複数の（Ｍ個の）層を有するデータ伝送をＭ個のＵＥに送信する。データ伝送に使用されるダウンリンクリソースは、データ伝送についてのＡＣＫ情報を送信するために使用されるＡＣＫリソースに関連付けられる。ＡＣＫリソースは、たとえば周波数分割多重方式（ＦＤＭ）に基づいてＭ個の部分に分割される。Ｍ個の層はそれぞれ、ＡＣＫリソースのそれぞれの部分に関連付けられる。各層の受信者ＵＥは、ＡＣＫリソースの関連する部分でその層へのＡＣＫを送信する。それぞれのＡＣＫリソース部分について、１つまたは複数のパイロットシンボルが１つまたは複数のリソース要素上で送信されてもよく、ＡＣＫシンボルは残りのリソース要素上で送信されてもよい。【選択図】    図１３
2010506505.tif 000002
【特許請求の範囲】
【請求項１】
空間分割多元接続（ＳＤＭＡ）を用いて複数のユーザ装置（ＵＥ）に送信されたデータ伝送を前記ＵＥで受信し、前記ＵＥに送信されたデータを回復するために前記データ伝送を処理し、前記回復されたデータについての肯定応答（ＡＣＫ）情報を決定し、前記データ伝送用のＡＣＫリソースを決定し、前記ＡＣＫ情報を前記ＵＥに割り当てられた前記ＡＣＫリソースの一部にマッピングし、単一搬送波周波数分割多重方式（ＳＣ−ＦＤＭ）に基づいて前記マッピングされたＡＣＫ情報への変調を実施するように構成された少なくとも１つのプロセッサと、なお、前記複数のＵＥが前記ＡＣＫリソース上で多重化される；
前記少なくとも１つのプロセッサに結合されたメモリと；
を備える無線通信用の装置。
【請求項２】
前記複数のＵＥは前記ＡＣＫリソース上で周波数分割多重化される、請求項１に記載の装置。
【請求項３】
前記複数のＵＥは前記ＡＣＫリソース上で時分割多重化される、請求項１に記載の装置。
【請求項４】
前記少なくとも１つのプロセッサは、前記データ伝送に使用されたダウンリンクリソースの位置に基づいて前記ＡＣＫリソースの位置を決定するように構成される、請求項１に記載の装置。
【請求項５】
前記少なくとも１つのプロセッサは、前記データ伝送に使用されたダウンリンクリソースの量に基づいてＡＣＫリソースの量を決定するように構成される、請求項１に記載の装置。
【請求項６】
前記少なくとも１つのプロセッサは、前記データ伝送で送信された層の数に基づいて、前記ＵＥに割り当てられたＡＣＫリソースの量を決定するように構成される、請求項１に記載の装置。
【請求項７】
前記データ伝送は前記複数のＵＥのための複数の（Ｍ個の）層を備え、前記ＡＣＫリソースはＭ個の部分に分割され、各層が前記ＡＣＫリソースのそれぞれの部分に関連付けられる、請求項１に記載の装置。
【請求項８】
前記少なくとも１つのプロセッサは、前記ＵＥに送信された特定の層に基づいて、前記ＵＥに割り当てられた前記ＡＣＫリソースの前記部分を決定するように構成される、請求項７に記載の装置。
【請求項９】
前記少なくとも１つのプロセッサは、前記ＡＣＫ情報を第１のスロットの少なくとも１つの副搬送波の第１のセットおよび第２のスロットの少なくとも１つの副搬送波の第２のセットにマッピングするように構成され、前記ＡＣＫリソースは前記第１および第２のスロットに位置し、前記ＵＥに割り当てられた前記ＡＣＫリソースの前記部分は少なくとも１つの副搬送波の前記第１および第２のセットを備える、請求項１に記載の装置。
【請求項１０】
前記少なくとも１つのプロセッサは、前記ＡＣＫ情報を複数のスロットのうちの１つのスロット内の少なくとも１つの副搬送波のセットにマッピングするように構成され、前記ＡＣＫリソースは前記複数のスロット内に位置し、前記ＵＥに割り当てられた前記ＡＣＫリソースの前記部分は少なくとも１つの副搬送波の前記セットを備える、請求項１に記載の装置。
【請求項１１】
前記少なくとも１つのプロセッサは、前記ＡＣＫ情報を少なくとも１つのスロット内の少なくとも１つの副搬送波のセットにマッピングし、前記少なくとも１つのスロットの各スロット内で少なくとも１つのパイロットシンボルをマッピングするように構成される、請求項１に記載の装置。
【請求項１２】
前記少なくとも１つのプロセッサは、少なくとも１つのパイロットシンボルを前記ＡＣＫリソースの前記割り当てられた部分の少なくとも１つのリソース要素にマッピングし、前記ＡＣＫ情報を前記ＡＣＫリソースの前記割り当てられた部分の残りのリソース要素にマッピングするように構成される、請求項１に記載の装置。
【請求項１３】
空間分割多元接続（ＳＤＭＡ）を用いて複数のユーザ装置（ＵＥ）に送信されたデータ伝送を前記ＵＥで受信することと；
前記ＵＥに送信されたデータを回復するために前記データ伝送を処理することと；
前記回復されたデータついての肯定応答（ＡＣＫ）情報を決定することと；
前記データ伝送用のＡＣＫリソースを決定することと；
前記ＡＣＫ情報を前記ＵＥに割り当てられた前記ＡＣＫリソースの一部にマッピングすることと、なお、前記複数のＵＥは前記ＡＣＫリソース上で多重化される；
単一搬送波周波数分割多重方式（ＳＣ−ＦＤＭ）に基づいて前記マッピングされたＡＣＫ情報への変調を実施することと；
を備える無線通信のための方法。
【請求項１４】
前記ＡＣＫ情報をマッピングすることは、前記ＡＣＫ情報を第１のスロットの少なくとも１つの副搬送波の第１のセットおよび第２のスロットの少なくとも１つの副搬送波の第２のセットにマッピングすることを備え、前記ＡＣＫリソースは前記第１および第２のスロットに位置し、前記ＵＥに割り当てられた前記ＡＣＫリソースの前記部分は少なくとも１つの副搬送波の前記第１および第２のセットを備える、請求項１３に記載の方法。
【請求項１５】
前記ＡＣＫ情報をマッピングすることは、前記ＡＣＫ情報を複数のスロットのうちの１つのスロット内の少なくとも１つの副搬送波のセットにマッピングすることを備え、前記ＡＣＫリソースは前記複数のスロット内に位置し、前記ＵＥに割り当てられた前記ＡＣＫリソースの前記部分は少なくとも１つの副搬送波の前記セットを備える、請求項１３に記載の方法。
【請求項１６】
少なくとも１つのパイロットシンボルを前記ＡＣＫリソースの前記割り当てられた部分の少なくとも１つのリソース要素にマッピングすることをさらに備え、前記ＡＣＫ情報は前記ＡＣＫリソースの前記割り当てられた部分の残りのリソース要素にマッピングされる、請求項１３に記載の方法。
【請求項１７】
空間分割多元接続（ＳＤＭＡ）を用いて複数のユーザ装置（ＵＥ）に送信されたデータ伝送を前記ＵＥで受信するための手段と；
前記ＵＥに送信されたデータを回復するために前記データ伝送を処理するための手段と；
前記回復されたデータついての肯定応答（ＡＣＫ）情報を決定するための手段と；
前記データ伝送用のＡＣＫリソースを決定するための手段と；
前記ＡＣＫ情報を前記ＵＥに割り当てられた前記ＡＣＫリソースの一部にマッピングするための手段と、なお、前記複数のＵＥが前記ＡＣＫリソース上で多重化される；
単一搬送波周波数分割多重方式（ＳＣ−ＦＤＭ）に基づいて前記マッピングされたＡＣＫ情報への変調を実施するための手段と；
を備える無線通信のための装置。
【請求項１８】
前記ＡＣＫ情報をマッピングするための前記手段は、前記ＡＣＫ情報を第１のスロットの少なくとも１つの副搬送波の第１のセットおよび第２のスロットの少なくとも１つの副搬送波の第２のセットにマッピングするための手段を備え、前記ＡＣＫリソースは前記第１および第２のスロットに位置し、前記ＵＥに割り当てられた前記ＡＣＫリソースの前記部分は少なくとも１つの副搬送波の前記第１および第２のセットを備える、請求項１７に記載の装置。
【請求項１９】
前記ＡＣＫ情報をマッピングするための前記手段は、前記ＡＣＫ情報を複数のスロットのうちの１つのスロット内の少なくとも１つの副搬送波のセットにマッピングするための手段を備え、前記ＡＣＫリソースは前記複数のスロット内に位置し、前記ＵＥに割り当てられた前記ＡＣＫリソースの前記部分は少なくとも１つの副搬送波の前記セットを備える、請求項１７に記載の装置。
【請求項２０】
少なくとも１つのパイロットシンボルを前記ＡＣＫリソースの前記割り当てられた部分の少なくとも１つのリソース要素にマッピングするための手段をさらに備え、前記ＡＣＫ情報は前記ＡＣＫリソースの前記割り当てられた部分の残りのリソース要素にマッピングされる、請求項１７に記載の装置。
【請求項２１】
マシンによって実行されるときに、前記マシンに操作を実施させる命令を備えるマシン読取り可能媒体であって、前記操作は、
空間分割多元接続（ＳＤＭＡ）を用いて複数のユーザ装置（ＵＥ）に送信されたデータ伝送を前記ＵＥで受信することと；
前記ＵＥに送信されたデータを回復するために前記データ伝送を処理すること；
前記回復されたデータついての肯定応答（ＡＣＫ）情報を決定すること；
前記データ伝送用のＡＣＫリソースを決定すること；
前記ＡＣＫ情報を前記ＵＥに割り当てられた前記ＡＣＫリソースの一部にマッピングすることと、なお、前記複数のＵＥは前記ＡＣＫリソース上で多重化される；
単一搬送波周波数分割多重方式（ＳＣ−ＦＤＭ）に基づいて前記マッピングされたＡＣＫ情報への変調を実施すること；
を備える、マシン読取り可能媒体。
【請求項２２】
空間分割多元接続（ＳＤＭＡ）を用いて複数のユーザ装置（ＵＥ）にデータ伝送を送信し、前記データ伝送用の肯定応答（ＡＣＫ）リソースを決定し、前記複数のＵＥに割り当てられた前記ＡＣＫリソースの複数の部分を決定し、受信シンボルを取得するために前記複数のＵＥから受信された単一搬送波周波数分割多重（ＳＣ−ＦＤＭ）信号への復調を実施し、前記複数のＵＥのうちの対応する１つのＵＥによって送信されたＡＣＫ情報を取得するために前記ＡＣＫリソースの前記複数の部分のそれぞれからの受信シンボルを処理するように構成された少なくとも１つのプロセッサと；
前記少なくとも１つのプロセッサに結合されたメモリと；
を備える無線通信のための装置。
【請求項２３】
前記データ伝送は前記複数のＵＥのための複数の（Ｍ個の）層を備え、前記ＡＣＫリソースはＭ個の部分に分割され、各層が前記ＡＣＫリソースのそれぞれの部分に関連付けられる、請求項２２に記載の装置。
【請求項２４】
前記少なくとも１つのプロセッサは、前記ＵＥに送信された特定の層に基づいて、各ＵＥに割り当てられた前記ＡＣＫリソースの前記部分を決定するように構成される、請求項２３に記載の装置。
【請求項２５】
それぞれのＵＥについて、前記少なくとも１つのプロセッサは、第１のスロットの少なくとも１つの副搬送波の第１のセットおよび第２のスロットの少なくとも１つの副搬送波の第２のセットから受信シンボルを取得し、前記ＵＥによって送信された前記ＡＣＫ情報を取得するために前記受信シンボルを処理するように構成され、前記ＡＣＫリソースは前記第１および第２のスロットに位置し、前記ＵＥに割り当てられた前記ＡＣＫリソースの前記部分は少なくとも１つの副搬送波の前記第１および第２のセットを備える、請求項２２に記載の装置。
【請求項２６】
それぞれのＵＥについて、前記少なくとも１つのプロセッサは、複数のスロットのうちの１つのスロット内の少なくとも１つの副搬送波のセットからの受信シンボルを取得し、前記ＵＥによって送信された前記ＡＣＫ情報を取得するために前記受信シンボルを処理するように構成され、前記ＡＣＫリソースは前記複数のスロット内に位置し、前記ＵＥに割り当てられた前記ＡＣＫリソースの前記部分は少なくとも１つの副搬送波の前記セットを備える、請求項２２に記載の装置。
【請求項２７】
それぞれのＵＥについて、前記少なくとも１つのプロセッサは、前記ＵＥに割り当てられた前記ＡＣＫリソースの前記一部の少なくとも１つのリソース要素から少なくとも１つの受信パイロットシンボルを取得し、前記少なくとも１つの受信パイロットシンボルに基づいてチャネル利得推定値を導出し、前記ＵＥに割り当てられた前記ＡＣＫリソースの前記部分の残りのリソース要素からの受信ＡＣＫシンボルを取得し、検出されたシンボルを取得するために前記チャネル利得推定値を用いて前記受信ＡＣＫシンボルに対して検出を実施し、前記ＵＥによって送信された前記ＡＣＫ情報を取得するために前記検出シンボルを処理するように構成される、請求項２２に記載の装置。
【請求項２８】
空間分割多元接続（ＳＤＭＡ）を用いて複数のユーザ装置（ＵＥ）にデータ伝送を送信することと；
前記データ伝送用の肯定応答（ＡＣＫ）リソースを決定することと；
前記複数のＵＥに割り当てられた前記ＡＣＫリソースの複数の部分を決定することと；
受信シンボルを取得するために、前記複数のＵＥから受信された単一搬送波周波数分割多重（ＳＣ−ＦＤＭ）信号への復調を実施することと；
前記複数のＵＥのうちの対応する１つによって送信されたＡＣＫ情報を取得するために、前記ＡＣＫリソースの前記複数の部分のそれぞれからの受信シンボルを処理することと；
を備える無線通信のための方法。
【請求項２９】
前記受信シンボルを処理することは、それぞれのＵＥについて、第１のスロットの少なくとも１つの副搬送波の第１のセットから、および第２のスロットの少なくとも１つの副搬送波の第２のセットから受信シンボルを取得することを備え、前記ＡＣＫリソースは前記第１および第２のスロットに位置し、前記ＵＥに割り当てられた前記ＡＣＫリソースの前記部分は少なくとも１つの副搬送波の前記第１および第２のセットを備える、請求項２８に記載の方法。
【請求項３０】
前記受信シンボルを処理することは、それぞれのＵＥについて、複数のスロットのうちの１つのスロット内の少なくとも１つの副搬送波のセットから受信シンボルを取得することを備え、前記ＡＣＫリソースは前記複数のスロットに位置し、前記ＵＥに割り当てられた前記ＡＣＫリソースの前記部分は少なくとも１つの副搬送波の前記セットを備える、請求項２８に記載の方法。
【請求項３１】
前記受信シンボルを処理することは、それぞれのＵＥについて、
前記ＵＥに割り当てられた前記ＡＣＫリソースの前記部分の少なくとも１つのリソース要素から少なくとも１つの受信パイロットシンボルを取得することと、
前記ＵＥに割り当てられた前記ＡＣＫリソースの前記部分の残りのリソース要素から受信ＡＣＫシンボルを取得することと、
前記少なくとも１つの受信パイロットシンボルに基づいてチャネル利得推定値を導出することと、
検出されたシンボルを取得するために前記チャネル利得推定値を用いて前記受信ＡＣＫシンボルに対して検出を実施することと、
前記ＵＥによって送信された前記ＡＣＫ情報を取得するために前記検出シンボルを処理することと、
を備える、請求項２８に記載の方法。
【請求項３２】
空間分割多元接続（ＳＤＭＡ）を用いて複数のユーザ装置（ＵＥ）にデータ伝送を送信するための手段と；
前記データ伝送用の肯定応答（ＡＣＫ）リソースを決定するための手段と；
前記複数のＵＥに割り当てられた前記ＡＣＫリソースの複数の部分を決定するための手段と；
受信シンボルを取得するために、前記複数のＵＥから受信された単一搬送波周波数分割多重（ＳＣ−ＦＤＭ）信号への復調を実施するための手段と；
前記複数のＵＥのうちの対応する１つによって送信されたＡＣＫ情報を取得するために、前記ＡＣＫリソースの前記複数の部分のそれぞれからの受信シンボルを処理するための手段と；
を備える無線通信のための装置。
【請求項３３】
前記受信シンボルを処理するための前記手段は、それぞれのＵＥについて、第１のスロットの少なくとも１つの副搬送波の第１のセットから、および第２のスロットの少なくとも１つの副搬送波の第２のセットから受信シンボルを取得するための手段を備え、前記ＡＣＫリソースは前記第１および第２のスロットに位置し、前記ＵＥに割り当てられた前記ＡＣＫリソースの前記部分は少なくとも１つの副搬送波の前記第１および第２のセットを備える、請求項３２に記載の装置。
【請求項３４】
前記受信シンボルを処理するための前記手段は、それぞれのＵＥについて、複数のスロットのうちの１つのスロット内の少なくとも１つの副搬送波のセットから受信シンボルを取得するための手段を備え、前記ＡＣＫリソースは前記複数のスロットに位置し、前記ＵＥに割り当てられた前記ＡＣＫリソースの前記部分は少なくとも１つの副搬送波の前記セットを備える、請求項３２に記載の装置。
【請求項３５】
前記受信シンボルを処理するための前記手段は、それぞれのＵＥについて、
前記ＵＥに割り当てられた前記ＡＣＫリソースの前記部分の少なくとも１つのリソース要素から少なくとも１つの受信パイロットシンボルを取得するための手段と、
前記ＵＥに割り当てられた前記ＡＣＫリソースの前記部分の残りのリソース要素から受信ＡＣＫシンボルを取得するための手段と、
前記少なくとも１つの受信パイロットシンボルに基づいてチャネル利得推定値を導出するための手段と、
検出されたシンボルを取得するために前記チャネル利得推定値を用いて前記受信ＡＣＫシンボルに対して検出を実施するための手段と、
前記ＵＥによって送信された前記ＡＣＫ情報を取得するために前記検出シンボルを処理するための手段と、
を備える、請求項３２に記載の装置。
【請求項３６】
マシンによって実行されるときに、前記マシンに操作を実施させる命令を備えるマシン読取り可能媒体であって、前記操作は、
空間分割多元接続（ＳＤＭＡ）を用いて複数のユーザ装置（ＵＥ）にデータ伝送を送信することと；
前記データ伝送用の肯定応答（ＡＣＫ）リソースを決定することと；
前記複数のＵＥに割り当てられた前記ＡＣＫリソースの複数の部分を決定することと；
受信シンボルを取得するために、前記複数のＵＥから受信された単一搬送波周波数分割多重（ＳＣ−ＦＤＭ）信号への復調を実施することと；
前記複数のＵＥのうちの対応する１つのＵＥによって送信されたＡＣＫ情報を取得するために、前記ＡＣＫリソースの前記複数の部分のそれぞれからの受信シンボルを処理することと；
を備える、マシン読取り可能媒体。
【発明の詳細な説明】
【優先権の主張】
【０００１】
本出願は、本願の譲受人に譲渡され、また参照により本明細書に組み込まれている、２００６年１０月４日に出願した米国仮出願第６０／８４９５８８号、「ＵＬ  ＣＯＮＴＲＯＬ  ＳＴＲＵＣＴＵＲＥ  ＦＯＲ  ＳＤＭＡ  ＩＮ  ＳＩＮＧＬＥ  ＣＡＲＲＩＥＲ  ＯＲＴＨＧＯＮＡＬ  ＳＹＳＴＥＭＳ」の優先権を主張するものである。
【技術分野】
【０００２】
本開示は、一般には通信に関し、より具体的には、無線通信システムで制御情報を送信するための技術に関する。
【背景技術】
【０００３】
無線通信システムは、音声、ビデオ、パケットデータ、メッセージング、放送など、様々な通信コンテンツを提供するために広く展開されている。これらの無線システムは、使用可能なシステムリソースを共有することにより複数のユーザをサポートすることができる多元接続システムであり得る。こうした多元接続システムの例には、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、時分割多元接続（ＴＤＭＡ：Ｔｉｍｅ  Ｄｉｖｉｓｉｏｎ  Ｍｕｌｔｉｐｌｅ  Ａｃｃｅｓｓ）システム、周波数分割多元接続（ＦＤＭＡ：Ｆｒｅｑｕｅｎｃｙ  Ｄｉｖｉｓｉｏｎ  Ｍｕｌｔｉｐｌｅ  Ａｃｃｅｓｓ）システム、直交ＦＤＭＡ（ＯＦＤＭＡ：Ｏｒｔｈｏｇｏｎａｌ  ＦＤＭＡ）システム、および単一搬送波ＦＤＭＡ（ＳＣ−ＦＤＭＡ：Ｓｉｎｇｌｅ−Ｃａｒｒｉｅｒ  ＦＤＭＡ）システムが含まれる。
【０００４】
無線通信システムでは、基地局はダウンリンクで１つまたは複数のユーザ装置（ＵＥ：ｕｓｅｒ  ｅｑｕｉｐｍｅｎｔ）にデータを送信し、かつ／またはアップリンクでＵＥからデータを受信する。ダウンリンク（すなわち順方向リンク）は基地局からＵＥへの通信リンクを指し、アップリンク（すなわち逆方向リンク）はＵＥから基地局への通信リンクを指す。基地局は、ＵＥに制御情報（たとえばシステムリソース割当て）を送信する。同様に、ＵＥはダウンリンク上のデータ伝送のサポートおよび／または他の目的のために基地局に制御情報を送信する。システム性能の向上のために、データおよび制御情報をできるだけ効率的に送信することが望ましい。
【発明の概要】
【０００５】
無線通信システム内で肯定応答（ＡＣＫ：ａｃｋｎｏｗｌｅｄｇｅｍｅｎｔ）情報を送信するための技術について本明細書に記載する。このシステムは、単一ユーザＭＩＭＯ（ＳＵ−ＭＩＭＯ：ｓｉｎｇｌｅ−ｕｓｅｒ  ＭＩＭＯ）を用いた単一のユーザへの、あるいは空間分割多元接続（ＳＤＭＡ：ｓｐａｔｉａｌ  ｄｉｖｉｓｉｏｎ  ｍｕｌｔｉｐｌｅ  ａｃｃｅｓｓ）を用いた同じダウンリンクリソース上の複数のＵＥへの多入力多出力（ＭＩＭＯ：ｍｕｌｔｉｐｌｅ−ｉｎｐｕｔ  ｍｕｌｔｉｐｌｅ−ｏｕｔｐｕｔ）データ伝送をサポートする。
【０００６】
基地局は、複数の（Ｍ個の）層を備えるＭＩＭＯデータ伝送を最大Ｍ個のＵＥに送信する。それぞれの層は、パケット、トランスポートブロック、データブロック、データストリームなどに対応する。ある設計では、データ伝送に使用されるダウンリンクリソースはデータ伝送についてのＡＣＫ情報を送信するために使用されるＡＣＫリソースに関連付けられる。ＡＣＫリソースは、周波数分割多重方式（ＦＤＭ：ｆｒｅｑｕｅｎｃｙ  ｄｉｖｉｓｉｏｎ  ｍｕｌｔｉｐｌｅｘｉｎｇ）、時分割多重方式（ＴＤＭ：ｔｉｍｅ  ｄｉｖｉｓｉｏｎ  ｍｕｌｔｉｐｌｅｘｉｎｇ）などを使用してＭ個の部分に分割される。Ｍ個の層はそれぞれ、ＡＣＫリソースのＭ個の部分のそれぞれの部分に関連付けられる。各層の受信者ＵＥは、その層についてのＡＣＫ情報をＡＣＫリソースの関連した部分で送信する。それぞれのＡＣＫリソース部分について、１つまたは複数のパイロットシンボルが１つまたは複数のリソース要素で送信され、ＡＣＫ情報を運ぶＡＣＫシンボルは残りのリソース要素で送信される。
【０００７】
ある設計では、基地局は、ＳＤＭＡを用いて複数のＵＥにデータ伝送を送信する。基地局は、そのＵＥに送信された層に基づいて、データ伝送用のＡＣＫリソース、および各ＵＥに割り当てられたＡＣＫリソースの部分を決定する。基地局は、ＵＥからアップリンク信号を受信し、受信シンボルの取得のために、受信された信号への復調を実施する。次いで、基地局は、その部分が割り当てられたＵＥによって送信されたＡＣＫ情報を取得するために、ＡＣＫリソースの各部分からの受信シンボルを処理する。
【０００８】
ある設計では、ＵＥはＳＤＭＡを用いて複数のＵＥに送信されたデータ伝送を受信する。ＵＥは、ＵＥに送信されたデータを回復するためにデータ伝送を処理し、回復されたデータについてのＡＣＫ情報を決定する。ＵＥは、データ伝送用のＡＣＫリソースを決定し、ＵＥに割り当てられたＡＣＫリソースの一部にＡＣＫ情報をマッピングする。ＵＥは、マッピングされたＡＣＫ情報を含むアップリンク信号を生成し、基地局にアップリンク信号を送信する。
【０００９】
下記に述べられるように、ＡＣＫリソースは、様々なＡＣＫ構造に基づいて分割される。本開示の様々な態様および特徴についても、下記にさらに詳細に述べられる。
【図面の簡単な説明】
【００１０】
【図１】無線多元接続通信システムを示す図。
【図２】ｅＮＢとＵＥの間のダウンリンクおよびアップリンク伝送を示す図。
【図３】ダウンリンクおよびアップリンク伝送の構造を示す図。
【図４Ａ】スロット構造を示す図。
【図４Ｂ】スロット構造を示す図。
【図５Ａ】ＵＥによる制御情報のみの送信を示す図。
【図５Ｂ】ＵＥによるデータおよび制御情報の送信を示す図。
【図６Ａ】ＳＵ−ＭＩＭＯのダウンリンク伝送を示す図。
【図６Ｂ】ＳＤＭＡのダウンリンク伝送を示す図。
【図７Ａ】他の図と異なるダウンリンクリソース量および他の図と異なるスロット構造についてＳＵ−ＭＩＭＯおよびＳＤＭＡのＡＣＫ構造を示す図。
【図７Ｂ】他の図と異なるダウンリンクリソース量および他の図と異なるスロット構造についてＳＵ−ＭＩＭＯおよびＳＤＭＡのＡＣＫ構造を示す図。
【図８Ａ】他の図と異なるダウンリンクリソース量および他の図と異なるスロット構造についてＳＵ−ＭＩＭＯおよびＳＤＭＡのＡＣＫ構造を示す図。
【図８Ｂ】他の図と異なるダウンリンクリソース量および他の図と異なるスロット構造についてＳＵ−ＭＩＭＯおよびＳＤＭＡのＡＣＫ構造を示す図。
【図８Ｃ】他の図と異なるダウンリンクリソース量および他の図と異なるスロット構造についてＳＵ−ＭＩＭＯおよびＳＤＭＡのＡＣＫ構造を示す図。
【図９Ａ】他の図と異なるダウンリンクリソース量および他の図と異なるスロット構造についてＳＵ−ＭＩＭＯおよびＳＤＭＡのＡＣＫ構造を示す図。
【図９Ｂ】他の図と異なるダウンリンクリソース量および他の図と異なるスロット構造についてＳＵ−ＭＩＭＯおよびＳＤＭＡのＡＣＫ構造を示す図。
【図１０Ａ】他の図と異なるダウンリンクリソース量および他の図と異なるスロット構造についてＳＵ−ＭＩＭＯおよびＳＤＭＡのＡＣＫ構造を示す図。
【図１０Ｂ】他の図と異なるダウンリンクリソース量および他の図と異なるスロット構造についてＳＵ−ＭＩＭＯおよびＳＤＭＡのＡＣＫ構造を示す図。
【図１１Ａ】他の図と異なるダウンリンクリソース量および他の図と異なるスロット構造についてＳＵ−ＭＩＭＯおよびＳＤＭＡのＡＣＫ構造を示す図。
【図１１Ｂ】他の図と異なるダウンリンクリソース量および他の図と異なるスロット構造についてＳＵ−ＭＩＭＯおよびＳＤＭＡのＡＣＫ構造を示す図。
【図１２Ａ】他の図と異なるダウンリンクリソース量および他の図と異なるスロット構造についてＳＵ−ＭＩＭＯおよびＳＤＭＡのＡＣＫ構造を示す図。
【図１２Ｂ】他の図と異なるダウンリンクリソース量および他の図と異なるスロット構造についてＳＵ−ＭＩＭＯおよびＳＤＭＡのＡＣＫ構造を示す図。
【図１２Ｃ】他の図と異なるダウンリンクリソース量および他の図と異なるスロット構造についてＳＵ−ＭＩＭＯおよびＳＤＭＡのＡＣＫ構造を示す図。
【図１２Ｄ】他の図と異なるダウンリンクリソース量および他の図と異なるスロット構造についてＳＵ−ＭＩＭＯおよびＳＤＭＡのＡＣＫ構造を示す図。
【図１３】ＵＥによってＡＣＫ情報を送信するプロセスを示す図。
【図１４】ＡＣＫ情報を送信するための装置を示す図。
【図１５】ＵＥからＡＣＫ情報を受信するプロセスを示す図。
【図１６】ＡＣＫ情報を受信するための装置を示す図。
【図１７】１つのｅＮＢおよび２つのＵＥのブロック図。
【図１８】送信（ＴＸ）データ・制御プロセッサおよび変調器を示す図。
【図１９】復調器および受信（ＲＸ）データ・制御プロセッサを示す図。
【発明の詳細な説明】
【００１１】
本明細書に述べられた諸技術は、ＣＤＭＡ、ＴＤＭＡ、ＦＤＭＡ、ＯＦＤＭＡ、ＳＣ−ＦＤＭＡおよび他のシステムなど、様々な無線通信システムに使用される。用語「システム」と「ネットワーク」はしばしば区別なく用いられる。ＣＤＭＡシステムは、ユニバーサル地上無線アクセス（ＵＴＲＡ：Ｕｎｉｖｅｒｓａｌ  Ｔｅｒｒｅｓｔｒｉａｌ  Ｒａｄｉｏ  Ａｃｃｅｓｓ）、ｃｄｍａ２０００などの無線技術を実装する。ＵＴＲＡは、広帯域ＣＤＭＡ（Ｗ−ＣＤＭＡ：Ｗｉｄｅｂａｎｄ−ＣＤＭＡ）および低チップレート（ＬＣＲ：Ｌｏｗ  Ｃｈｉｐ  Ｒａｔｅ）を含む。ｃｄｍａ２０００は、ＩＳ−２０００、ＩＳ−９５およびＩＳ−８５６規格をカバーする。ＴＤＭＡシステムは、移動通信用グローバルシステム（ＧＳＭ：Ｇｌｏｂａｌ  Ｓｙｓｔｅｍ  ｆｏｒ  Ｍｏｂｉｌｅ  Ｃｏｍｍｕｎｉｃａｔｉｏｎｓ）などの無線技術を実装する。ＯＦＤＭＡシステムは、進化型ＵＴＲＡ（Ｅ−ＵＴＲＡ：Ｅｖｏｌｖｅｄ  ＵＴＲＡ）、ウルトラモバイルブロードバンド（ＵＭＢ：Ｕｌｔｒａ  Ｍｏｂｉｌｅ  Ｂｒｏａｄｂａｎｄ）、ＩＥＥＥ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭ（登録商標）などの無線技術を実装する。ＵＴＲＡ、Ｅ−ＵＴＲＡおよびＧＳＭは、ユニバーサル移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）の一環である。３ＧＰＰロングタームエボリューション（ＬＴＥ：Ｌｏｎｇ  Ｔｅｒｍ  Ｅｖｏｌｕｔｉｏｎ）は、ダウンリンクではＯＦＤＭＡ、アップリンクではＳＣ−ＦＤＭＡを用いるＥ−ＵＴＲＡを使用するＵＭＴＳの今後のリリースである。ＵＴＲＡ、Ｅ−ＵＴＲＡ、ＧＳＭ、ＵＭＴＳおよびＬＴＥは、「第３世代パートナーシッププロジェクト」（３ＧＰＰ：３ｒｄ  Ｇｅｎｅｒａｔｉｏｎ  Ｐａｒｔｎｅｒｓｈｉｐ  Ｐｒｏｊｅｃｔ）という名前の組織からの文献に記載されている。ｃｄｍａ２０００およびＵＭＢは、「第３世代パートナーシッププロジェクト２」（３ＧＰＰ２：３ｒｄ  Ｇｅｎｅｒａｔｉｏｎ  Ｐａｒｔｎｅｒｓｈｉｐ  Ｐｒｏｊｅｃｔ  ２）という名前の組織からの文献に記載されている。これらの様々な無線技術および規格は、当技術分野において知られている。明確にするために、諸技術の特定の態様について、下記にＬＴＥに関して述べ、下記の説明のほとんどにおいてＬＴＥ用語を用いる。
【００１２】
図１は、複数の進化型Ｎｏｄｅ  Ｂ（ｅＮＢ）１１０を含む無線多元接続通信システム１００を示している。ｅＮＢは、ＵＥと通信するために使用される固定局であり、Ｎｏｄｅ  Ｂ、基地局、アクセスポイントなどとも呼ばれる。それぞれのｅＮＢ  １１０は特定の地理的領域の通信サービスエリアを提供する。ＵＥ  １２０は、システム全体にわたって分散され得る。ＵＥは、静止していても移動していてもよく、移動局、端末、アクセス端末、加入者装置、局などとも呼ばれる。ＵＥは、携帯電話、携帯情報端末（ＰＤＡ：ｐｅｒｓｏｎａｌ  ｄｉｇｉｔａｌ  ａｓｓｉｓｔａｎｔ）、無線モデム、無線通信装置、手持ち式装置、ラップトップコンピュータ、コードレス電話などである。ＵＥはダウンリンクおよびアップリンク上の伝送によって１つまたは複数のｅＮＢと通信する。
【００１３】
このシステムは、ハイブリッド自動再送（ＨＡＲＱ：ｈｙｂｒｉｄ  ａｕｔｏｍａｔｉｃ  ｒｅｔｒａｎｓｍｉｓｓｉｏｎ）をサポートする。ダウンリンク上のＨＡＲＱでは、ｅＮＢはパケットの伝送を送信し、受信者ＵＥによってパケットが正確に復号されるまで、最大数の再送が送信されるまで、または他の終了条件に遭遇するまで、１つまたは複数の再送を送信する。ＨＡＲＱはデータ伝送の信頼性を向上させる。
【００１４】
図２は、ｅＮＢによるダウンリンク（ＤＬ:ｄｏｗｎｌｉｎｋ）伝送、およびＵＥによるアップリンク（ＵＬ：ｕｐｌｉｎｋ）伝送を示している。ＵＥはｅＮＢのダウンリンクチャネル品質を周期的に推定し、ｅＮＢにチャネル品質指標（ＣＱＩ：ｃｈａｎｎｅｌ  ｑｕａｌｉｔｙ  ｉｎｄｉｃａｔｏｒ）を送信する。ｅＮＢはダウンリンク伝送のためのＵＥを選択し、そのＵＥへの伝送に適したレート（たとえば変調および符号化方式）を選択するためにＣＱＩおよび／または他の情報を使用する。ｅＮＢは、送信するデータがあり、システムリソースが使用可能である場合、データを処理し、ＵＥに送信する。ＵＥは、ｅＮＢからのダウンリンクデータ伝送を処理し、データが正確に復号される場合に肯定応答（ＡＣＫ：ａｃｋｎｏｗｌｅｄｇｅｍｅｎｔ）を送信し、データが誤って復号される場合に否定応答（ＮＡＫ：ｎｅｇａｔｉｖｅ  ａｃｋｎｏｗｌｅｄｇｅｍｅｎｔ）を送信する。ｅＮＢは、ＮＡＫが受信される場合はデータを再送し、ＡＣＫが受信される場合は、新しいデータを送信する。ＵＥは、送信するデータがあり、またＵＥにアップリンクリソースが割り当てられる場合、アップリンクでｅＮＢにデータを送信する。
【００１５】
下記の説明では、用語「ＡＣＫ」および「ＡＣＫ情報」は一般的に、ＡＣＫおよび／またはＮＡＫを指す。図２に示されるように、ＵＥは、所与のいずれかのサブフレーム内で、データおよび／または制御情報を送信し、あるいはいずれも送信しない。制御情報は、ＡＣＫ、ＣＱＩなどを備える。送信する制御情報のタイプおよび量は、送信にＭＩＭＯが使用されるかどうか、送信されている層の数など、様々な要因によって決まり得る。簡単にするために、ＡＣＫおよびＣＱＩについてだけ、下記に述べられる。
【００１６】
ＬＴＥは、ダウンリンク上では周波数分割多重方式（ＯＦＤＭ：ｏｒｔｈｏｇｏｎａｌ  ｆｒｅｑｕｅｎｃｙ  ｄｉｖｉｓｉｏｎ  ｍｕｌｔｉｐｌｅｘｉｎｇ）、アップリンク上では単一搬送波周波数分割多重方式（ＳＣ−ＦＤＭ）を使用する。ＯＦＤＭおよびＳＣ−ＦＤＭは、システム帯域幅を複数の（Ｎ個の）直交副搬送波に分割し、この副搬送波は通常、トーン、ビンなどとも呼ばれる。それぞれの副搬送波は、データで変調される。一般に、変調シンボルは、ＯＦＤＭでは周波数領域で、ＳＣ−ＦＤＭでは時間領域で送信される。ＬＴＥでは、隣接した副搬送波間の間隔は固定され、副搬送波の総数（Ｎ）は、システム帯域幅によって決まる。Ｎは、１．２５、２．５、５、１０または２０ＭＨｚのシステムの帯域幅では、それぞれ１２８、２５６、５１２、１０２４または２０４８に等しい。一般に、Ｎは任意の整数値である。
【００１７】
図３は、ダウンリンクおよびアップリンクに使用され得る伝送構造３００の設計を示している。伝送時系列は、複数のサブフレームに分割される。１つのサブフレームは、固定の継続時間、たとえば１ミリ秒（ｍｓ）を有し、２つのスロットに分割される。それぞれのスロットは、固定数のシンボル期間をカバーし、あるいは、可変数のシンボル期間をカバーする。
【００１８】
ダウンリンクでは、各スロットにＫ個のリソースブロックが定義される。それぞれのリソースブロックは、１つのスロットでＶ個の副搬送波（たとえばＶ＝１２副搬送波）をカバーする。使用可能なリソースブロックは、ダウンリンク伝送のためにＵＥに割り当てられる。ある設計では、ＵＥに所与のサブフレーム内のリソースブロックの１つまたは複数の対が割り当てられる。それぞれのリソースブロック対は、１つのサブフレームの２つのスロット内のＶ個の副搬送波をカバーする。
【００１９】
アップリンクでは、合計Ｎ個の副搬送波がデータ部と制御部に分割される。図３に示されるように、制御部はシステムの帯域幅の端に形成される。制御部は構成可能なサイズを有し、このサイズはＵＥによってアップリンク上で送信されている制御情報の量に基づいて選択される。データ部は、制御部に含まれないすべての副搬送波を含む。図３の設計によって、隣接した副搬送波を含むデータ部がもたらされ、その結果、単一のＵＥにデータ部内の隣接した副搬送波すべてを割り当てることが可能となる。
【００２０】
図３は、制御部が各スロットのシステム帯域幅の一方の端で形成される設計を示している。別の設計では、制御部は各スロットのシステム帯域幅の上端と下端の両方に形成される。制御部の上端部分は１つまたは複数のＵＥに割り当てられ、制御部の下端部分は１つまたは複数の他のＵＥに割り当てられる。
【００２１】
ある設計では、図３に示されるように、ダウンリンク上の各リソースブロック対はアップリンク上の制御部の対応するＡＣＫリソースに関連付けられる。サブフレームｎ内のリソースブロック対ｋで送信されたデータについては、データに対するＡＣＫはこのリソースブロック対のための関連するＡＣＫリソース上で送信される。一般に、任意の量のＡＣＫリソースが所与のダウンリンクリソースブロック対に関連付けられる。ある設計では、あるダウンリンクリソースブロック対用のＡＣＫリソースはサブフレームの各スロット内の連続した２つの副搬送波を含む。
【００２２】
図４Ａは、ダウンリンクおよび／またはアップリンクに使用され得るスロット構造４１０の設計を示している。この設計では、スロットは６つの長いシンボル期間１、３、４、５、６、８と、２つの短いシンボル期間２、７とを含む。短シンボル期間は長シンボル期間の継続時間の半分であり得る。データおよび／または制御情報は、それぞれの長シンボル期間に送信され、パイロットは、それぞれの短シンボル期間に送信される。変調シンボルは、１つの長シンボル期間内の１つの狭い（たとえば１５ＫＨｚ）副搬送波で、あるいは、（２つの狭い副搬送波をカバーする）１つの短シンボル期間内の１つの広い（たとえば３０ＫＨｚ）副搬送波である、１つのリソース要素で送信されもよい。一般に、リソース要素は１つのシンボル期間内の１つの副搬送波とすることができ、リソースユニットなどと呼ばれることもある。
【００２３】
図４Ｂは、ダウンリンクおよび／またはアップリンクに使用するスロット構造４２０の設計を示している。この設計では、スロットは等しい継続時間の７つのシンボル期間を含む。パイロットはシンボル期間４に送信され、データおよび／または制御情報は残りの各シンボル期間に送信される。変調シンボルは１つのシンボル期間内の１つの副搬送波である１つのリソース要素で送信される。
【００２４】
図４Ａおよび４Ｂは、２つの例示的なスロット構造を示している。他のスロット構造を使用してデータ、制御情報およびパイロットを送信する。さらに、データ、制御情報およびパイロットは、他のやり方で、たとえば図４Ａおよび４Ｂに示されるものとは異なるリソース要素上で多重化される。
【００２５】
ＵＥに、アップリンクでＣＱＩを送信するためのＣＱＩリソースが割り当てられる。ＵＥに、アップリンクでデータを送信するためのアップリンクリソースも割り当てられる。ＵＥは、アップリンクでＡＣＫを送信するためのＡＣＫリソースに関連付けられる１つまたは複数のリソースブロック対でダウンリンクデータ伝送を受信する。アップリンクリソースはデータセグメントに位置してもよく、ＣＱＩリソースは制御セグメント内の固定位置にあってもよく、ＡＣＫリソースは、制御セグメント内の可変位置にあり、ダウンリンクリソース割当てによって決定されてもよい。
【００２６】
ＵＥは、局所周波数分割多重（ＬＦＤＭ：ｌｏｃａｌｉｚｅｄ  ｆｒｅｑｕｅｎｃｙ  ｄｉｖｉｓｉｏｎ  ｍｕｌｔｉｐｌｅｘｉｎｇ）とも呼ばれるＳＣ−ＦＤＭを使用して、隣接した副搬送波で送信することが望ましい。隣接した副搬送波で送信することによって、ピーク対平均電力比（ＰＡＲ：ｐｅａｋ−ｔｏ−ａｖｅｒａｇｅ  ｒａｔｉｏ）の低減がもたらされる。ＰＡＲは、波形のピーク電力と波形の平均電力の比である。低いＰＡＲは、ピーク出力電力により近い平均出力電力で電力増幅器（ＰＡ：ｐｏｗｅｒ  ａｍｐｌｉｆｉｅｒ）を動作させることを可能にするので望ましい。これは、結果として、ＵＥのスループットおよび／またはリンクマージンを向上させることができる。
【００２７】
一般に、ＵＥはアップリンクで、所与のサブフレーム内で、ＡＣＫ、ＣＱＩおよびデータのいずれか１つまたはその組合せを送信する。ＵＥには、システム帯域幅の端の近くに位置するＡＣＫリソースおよび／またはＣＱＩリソースが割り当てられる。ＵＥにはデータ部内のアップリンクリソースも割り当てられる。ＡＣＫおよび／またはＣＱＩリソースの副搬送波は、アップリンクリソースの副搬送波に隣接していないことがある。ＵＥは、ＡＣＫ、ＣＱＩおよび／またはデータが送信されているかどうかに関係なく、隣接した副搬送波でＵＥが送信することを保証するために、表１に示されるようにＡＣＫ、ＣＱＩおよび／またはデータを送信してもよい。したがって、これによって、ＵＥはＰＡＲの低減を達成することができる。
【表１】
2010506505.tif 000003
【００２８】
図５Ａは、アップリンクで送信するデータがない場合、サブフレーム内で制御情報だけ（たとえばＡＣＫおよび／またはＣＱＩ）を送信することを示している。ＵＥには、サブフレームの２つのスロット内の副搬送波のそれぞれ異なるセットにマッピングされるＡＣＫおよび／またはＣＱＩリソースが割り当てられる。ＵＥは、各シンボル期間に、割り当てられたＡＣＫまたはＣＱＩリソース内の副搬送波で制御情報を送信する。残りの副搬送波は、他のＵＥによってアップリンク伝送に使用される。
【００２９】
図５Ｂは、アップリンク上で送信するデータがある場合のデータおよび制御情報の送信を示している。ＵＥに、サブフレームの２つのスロット内のそれぞれ異なる副搬送波セットにマッピングされ得るアップリンクリソースが割り当てられる。ＵＥは、各シンボル期間に、割り当てられたアップリンクリソース内の副搬送波でデータおよび制御情報を送信する。残りの副搬送波は、他のＵＥによって、アップリンク伝送に使用される。
【００３０】
図５Ａおよび５Ｂは、性能を向上させることができる、有害なパス効果に対する周波数ダイバーシチおよび干渉のランダム化を達成するためのスロット間の周波数ホッピングを示している。周波数ホッピングは、他の時間間隔にわたって、たとえばシンボル期間の間、サブフレーム間などで実施することもできる。
【００３１】
このシステムは、単一入力単一出力（ＳＩＳＯ：ｓｉｎｇｌｅ−ｉｎｐｕｔ  ｓｉｎｇｌｅ−ｏｕｔｐｕｔ）、単一入力多出力（ＳＩＭＯ：ｓｉｎｇｌｅ−ｉｎｐｕｔ  ｍｕｌｔｉｐｌｅ−ｏｕｔｐｕｔ）、多入力単一出力（ＭＩＳＯ：ｍｕｌｔｉｐｌｅ−ｉｎｐｕｔ  ｓｉｎｇｌｅ−ｏｕｔｐｕｔ）、および／またはＭＩＭＯ伝送をサポートしてもよい。単一入力は、１つの送信アンテナを指し、多入力は、データ伝送用の複数の送信アンテナを指す。単一出力は１つの受信アンテナを指し、多出力は、データ受信用の複数の受信アンテナを指す。
【００３２】
図６Ａは、ＳＵ−ＭＩＭＯのデータ伝送を示している。ＳＵ−ＭＩＭＯでは、ｅＮＢ  １１０は、単一のＵＥ  １２０に、複数の（Ｍ個の）層を備えるＭＩＭＯデータ伝送を１組のリソースブロック上で送信する。ＵＥはＭ個またはそれより多くのアンテナでＭＩＭＯデータ伝送を受信してもよく、各層を回復可能であってもよい。
【００３３】
図６Ｂは、多ユーザＭＩＭＯ（ＭＵ−ＭＩＭＯ：ｍｕｌｔｉ−ｕｓｅｒ  ＭＩＭＯ）とも呼ばれるＳＤＭＡのデータ伝送を示している。ＳＤＭＡでは、ｅＮＢ  １１０は、Ｍ個のＵＥ  １２０ａ〜１２０ｍにＭ個の層を備えるＭＩＭＯデータ伝送を同じ１組のリソースブロック上で送信する。ｅＮＢは、受信者ＵＥに各層を導くために、プレコーディングまたはビームフォーミングを実施する。この場合、図６Ｂに示されるように、それぞれのＵＥは単一のアンテナでその層を受信可能である。ｅＮＢは、Ｍ個のアンテナからＭ個の層、各アンテナから１つの層を送信する。この場合、それぞれのＵＥは複数のアンテナでＭＩＭＯデータ伝送を受信し、（図６Ｂに示されてない）他の層からの干渉がある状態でその層を回復するために、ＭＩＭＯ検出を実施する。一般に、ｅＮＢは、ＳＤＭＡでは各ＵＥに１つまたは複数の層を送信し、それぞれのＵＥは、十分な数のアンテナでその層を回復する。
【００３４】
ｅＮＢは、１つまたは複数のリソースブロック上で、１つまたは複数のＵＥにデータを送信する。ＳＩＳＯ、ＭＩＳＯ、ＳＤＭＡ、それともＳＵ−ＭＩＭＯを使用して送信するかに関する決定は、ＵＥの能力、チャネル状態など、様々な要因に依存する。ｅＮＢは、一部のリソースブロックにはＳＤＭＡを、他の一部のリソースブロックにはＳＵ−ＭＩＭＯを、さらに他の一部のリソースブロックにはＳＩＳＯまたはＭＩＳＯを使用するなどしてもよい。ＳＵ−ＭＩＭＯでは、ｅＮＢは、Ｍ層を備えるＭＩＭＯデータ伝送を単一のＵＥに送信し、それぞれの層はそれぞれ独立に肯定応答される。Ｍ層に対するＡＣＫは、共に符号化され、関連するＡＣＫリソース、またはＵＥに割り当てられたアップリンクリソースで送信される。ＳＤＭＡでは、ｅＮＢは、ＬおよびＭがそれぞれ任意の整数値であり得るとして、Ｌ個のリソースブロックでＭ個の異なるＵＥに、Ｍ層を備えるＭＩＭＯデータ伝送を送信する。Ｍ個のＵＥは、そのＡＣＫを、ＭＩＭＯデータ伝送に使用されるＬ個のリソースブロックに関連する同じＡＣＫリソースで送信し、それによって直交性が失われることになる。
【００３５】
一態様において、ＳＤＭＡでは、それぞれのＵＥは、Ｍ個のＵＥ間でアップリンク上の直交性を保つために、ＡＣＫリソースの異なる部分でそのＡＣＫを送信する。ある設計では、各ＵＥのＡＣＫ位置は、そのＵＥに送信された層に基づいて、暗黙に決定される。ＡＣＫリソースは、それぞれ層１〜Ｍに関連付けられ得るＭ個の部分に分割される。ＵＥ受信層１はＡＣＫリソース部分１でそのＡＣＫを送信し、ＵＥ受信層２はＡＣＫリソース部分２でそのＡＣＫを送信するなどである。
【００３６】
ある設計では、Ｍ個のＵＥは、ＡＣＫリソース上で周波数分割多重化される（ＦＤＭ）。ＦＤＭでは、それぞれのＵＥに、ＡＣＫリソースの副搬送波の部分集合が割り当てられる。各ＵＥに割り当てられる副搬送波の数は、ＡＣＫリソースの副搬送波の総数、Ｍ個のＵＥに送信されている層の総数、およびそのＵＥに送信されている層の数によって決まる。可能であれば、周波数ダイバーシチを達成するために、それぞれのＵＥに、サブフレームの２つのスロット内の１つまたは複数の副搬送波が割り当てられる。それぞれのＵＥは、他のＵＥとの直交性を維持しながら、そのＵＥのためにＳＣ−ＦＤＭ波形を保つことができるようなやり方でそのＡＣＫを送信する。
【００３７】
単純にするために、下記の説明ではデータおよびＣＱＩは送信されておらず、ＭＩＭＯデータ伝送が１、２、３および４のインデックスを有するＭ＝４個のＵＥに送られるものとする。下記の説明のほとんどにおいて、図４Ａに示されたスロット構造を使用するものとする。
【００３８】
図７Ａは、ダウンリンク上の１つのリソースブロック対が割り当てられた単一のＵＥのためのＡＣＫ構造７１０の設計を示している。この設計では、ＡＣＫリソースは、サブフレームの各スロット内に２つの副搬送波１および２を備える。ＵＥは、Ｍ個の層を備えるＭＩＭＯデータ伝送を受信し、これらのＭ個の層に対するＡＣＫを送信するためにＡＣＫリソースのすべてを使用する。ＵＥは、これらのＡＣＫを共に符号化し、次いで、符号化されたＡＣＫをパイロットに使用されないリソース要素にマッピングする。ＵＥは、パイロットに使用されたリソース要素でパイロットシンボルを送信する。
【００３９】
図７Ｂは、ＳＤＭＡで１つのダウンリンクリソースブロック対に空間多重化された４つのＵＥのためのＡＣＫ構造７２０の設計を示している。この設計では、それぞれのＵＥは、サブフレームの第１または第２のスロットで、そのＡＣＫを送信する。各ＵＥからのＡＣＫの送信時間間隔（ＴＴＩ：ｔｒａｎｓｍｉｓｓｉｏｎ  ｔｉｍｅ  ｉｎｔｅｒｖａｌ）は、１サブフレームから１スロットへと有効に減少される。図７Ｂに示された設計では、ＵＥ  １に、第１のスロット内の副搬送波１、ならびにこのスロットの第１の短シンボル期間のパイロット副搬送波が割り当てられる。ＵＥ  ２には、第１のスロット内の副搬送波２、ならびにこのスロットの第２短シンボル期間のパイロット副搬送波が割り当てられる。ＵＥ  ３には、第２のスロット内の副搬送波１、ならびにこのスロットの第１の短シンボル期間のパイロット副搬送波が割り当てられる。ＵＥ  ４には、第２のスロット内の副搬送波２、ならびにこのスロットの第２の短シンボル期間のパイロット副搬送波が割り当てられる。それぞれのＵＥは、そのＵＥに割り当てられた副搬送波およびスロット内のリソース要素にそのＡＣＫをマッピングする。
【００４０】
図８Ａは、ダウンリンク上の２つのリソースブロック対が割り当てられた単一のＵＥのためのＡＣＫ構造８１０の設計を示している。この設計では、ＡＣＫリソースは、サブフレームの各スロットに４つの副搬送波１〜４を備える。ＵＥは、Ｍ個の層を備えるＭＩＭＯデータ伝送を受信し、これらのＭ個の層に対するＡＣＫを送信するためにＡＣＫリソースのすべてを使用する。
【００４１】
図８Ｂは、ＳＤＭＡで２つのダウンリンクリソースブロック対に空間多重化された４つのＵＥのためのＡＣＫ構造８２０の設計を示している。この設計では、それぞれのＵＥに、サブフレームの第１および第２のスロット内の同じ位置の副搬送波が割り当てられ、サブフレームの両方のスロットでそのＡＣＫを送信する。各スロットで、ＵＥ  １には、副搬送波１、ならびに第１の短シンボル期間の低いパイロット副搬送波が割り当てられる。ＵＥ  ２には、副搬送波２、ならびに第２の短シンボル期間の低いパイロット副搬送波が割り当てられる。ＵＥ  ３には、副搬送波３、ならびに第１の短シンボル期間の高いパイロット副搬送波が割り当てられる。ＵＥ  ４には、副搬送波４、ならびに第２の短シンボル期間の高いパイロット副搬送波が割り当てられる。
【００４２】
図８Ｃは、ＳＤＭＡで２つのダウンリンクリソースブロック対に空間多重化された４つのＵＥのためのＡＣＫ構造８３０の設計を示している。この設計では、それぞれのＵＥは、サブフレームの第１または第２のスロットでそのＡＣＫを送信する。ＵＥ  １には、第１のスロットの副搬送波１および２、ならびにこのスロットの両方の短シンボル期間の低いパイロット副搬送波が割り当てられる。ＵＥ  ２には、第１のスロットの副搬送波３および４、ならびにこのスロットの両方の短シンボル期間の高いパイロット副搬送波が割り当てられる。ＵＥ  ３には、第２のスロットの副搬送波１および２、ならびにこのスロットの両方の短シンボル期間の低いパイロット副搬送波が割り当てられる。ＵＥ  ４には、第２のスロットの副搬送波３および４、ならびにこのスロットの両方の短シンボル期間の高いパイロット副搬送波が割り当てられる。
【００４３】
ＡＣＫ構造８２０および８３０では、４つのすべてのＵＥにサブフレーム内の同じＡＣＫ帯域幅が割り当てられる。各ＵＥへのＡＣＫ帯域幅割当ては、ＡＣＫ構造８２０の両方のスロット間で対称である。両方のＡＣＫ構造８２０および８３０について、それぞれのＵＥは１つまたは２つのスロット内のそのＵＥに割り当てられた副搬送波のリソース要素にそのＡＣＫをマッピングする。
【００４４】
図９Ａは、ダウンリンク上の３つのリソースブロック対が割り当てられた単一のＵＥのためのＡＣＫ構造９１０の設計を示している。この設計では、ＡＣＫリソースは、サブフレームの各スロット内に６つの副搬送波１〜６を備える。ＵＥは、Ｍ個の層を備えるＭＩＭＯデータ伝送を受信し、これらのＭ個の層に対するＡＣＫを送信するためにＡＣＫリソースのすべてを使用する。
【００４５】
図９Ｂは、ＳＤＭＡで３つのダウンリンクリソースブロック対に空間多重化された４つのＵＥのためのＡＣＫ構造９２０の設計を示している。この設計では、それぞれのＵＥにサブフレームの第１および第２のスロット内のそれぞれ異なる位置の副搬送波が割り当てられ、サブフレームの両方のスロットでそのＡＣＫを送信する。第１のスロットでは、ＵＥ  １に副搬送波１および２、ならびに両方の短シンボル期間の最も低いパイロット副搬送波が割り当てられる。ＵＥ  ２には副搬送波３および４、ならびに両方の短シンボル期間の中間のパイロット副搬送波が割り当てられる。ＵＥ  ３には副搬送波５、ならびに第１の短シンボル期間の最も高いパイロット副搬送波が割り当てられる。ＵＥ  ４には副搬送波６、ならびに第２の短シンボル期間の最も高いパイロット副搬送波が割り当てられる。第２のスロットでは、ＵＥ  １に副搬送波１、ならびに第１の短シンボル期間の最も低いパイロット副搬送波が割り当てられる。ＵＥ  ２には副搬送波２、ならびに第２の短シンボル期間の最も低いパイロット副搬送波が割り当てられる。ＵＥ  ３には副搬送波３および４、ならびに両方の短シンボル期間の中間のパイロット副搬送波が割り当てられる。ＵＥ  ４には副搬送波５および６、ならびに両方の短シンボル期間の最も高いパイロット副搬送波が割り当てられる。
【００４６】
図９Ｂに示された設計では、それぞれのＵＥに、合計３つの副搬送波、すなわち一方のスロット内の１つの副搬送波、および他方のスロット内の２つの副搬送波が割り当てられている。４つのＵＥに、２つのスロット内の同じＡＣＫ帯域幅（すなわち同じ総数の副搬送波）が割り当てられる。しかし、各ＵＥのＡＣＫ帯域幅割当ては２つのスロット間で対称でない。それぞれのＵＥは、２つのスロット内のそのＵＥに割り当てられた副搬送波のリソース要素にそのＡＣＫをマッピングする。
【００４７】
図１０Ａは、ダウンリンク上の４つのリソースブロック対が割り当てられた単一のＵＥのためのＡＣＫ構造１０１０の設計を示している。この設計では、ＡＣＫリソースはサブフレームの各スロット内に８つの副搬送波１〜８を備える。ＵＥはＭ個の層を備えるＭＩＭＯデータ伝送を受信してもよく、これらのＭ個の層に対するＡＣＫを送信するためにＡＣＫリソースのすべてを使用する。
【００４８】
図１０Ｂは、ＳＤＭＡで４つのダウンリンクリソースブロック対に空間多重化された４つのＵＥのためのＡＣＫ構造１０２０の設計を示している。この設計では、それぞれのＵＥにサブフレームの第１および第２のスロット内の同じ位置の副搬送波が割り当てられ、サブフレームの両方のスロット内にそのＡＣＫを送信する。各スロットでは、ＵＥ  １に副搬送波１および２、ならびに両方の短シンボル期間の最も低いパイロット副搬送波が割り当てられる。ＵＥ  ２には副搬送波３および４、ならびに両方の短シンボル期間の２番目に低いパイロット副搬送波が割り当てられる。ＵＥ  ３には副搬送波５および６、ならびに両方の短シンボル期間の２番目に高いパイロット副搬送波が割り当てられる。ＵＥ  ４には副搬送波７および８、ならびに両方の短シンボル期間の最も高いパイロット副搬送波が割り当てられる。４つのＵＥにはサブフレーム内の同じＡＣＫ帯域幅が割り当てられ、各ＵＥへのＡＣＫ帯域幅割当ては両方のスロット間で対称である。それぞれのＵＥは、２つのスロット内のそのＵＥに割り当てられた副搬送波のリソース要素にそのＡＣＫをマッピングする。
【００４９】
図１１Ａは、ダウンリンク上の５つのリソースブロック対が割り当てられた単一のＵＥのためのＡＣＫ構造１１１０の設計を示している。この設計では、ＡＣＫリソースはサブフレームの各スロットに１０個の副搬送波１〜１０を備える。ＵＥは、Ｍ個の層を備えるＭＩＭＯデータ伝送を受信し、これらのＭ個の層に対するＡＣＫを送信するためにＡＣＫリソースのすべてを使用する。
【００５０】
図１１Ｂは、ＳＤＭＡで５つのダウンリンクリソースブロック対に空間多重化された４つのＵＥのためのＡＣＫ構造１１２０の設計を示している。この設計では、それぞれのＵＥに、サブフレームの第１および第２のスロット内のそれぞれ異なる位置の副搬送波が割り当てられ、サブフレームの両方のスロット内にそのＡＣＫを送信する。第１スロットでは、ＵＥ  １に副搬送波１、２および３、ならびに第１の短シンボル期間の最も低い２つのパイロット副搬送波、および第２の短シンボル期間の最も低いパイロット副搬送波が割り当てられる。ＵＥ  ２には副搬送波４、５および６、ならびに第１の短シンボル期間の中間のパイロット副搬送波、および第２の短シンボル期間の２番目および３番目に低いパイロット副搬送波が割り当てられる。ＵＥ  ３には副搬送波７および８、ならびに両方の短シンボル期間の２番目に高いパイロット副搬送波が割り当てられる。ＵＥ  ４には副搬送波９および１０、ならびに両方の短シンボル期間の最も高いパイロット副搬送波が割り当てられる。第２のスロットでは、ＵＥ  １に副搬送波１および２、ならびに両方の短シンボル期間の最も低いパイロット副搬送波が割り当てられる。ＵＥ  ２には副搬送波３および４、ならびに両方の短シンボル期間の２番目に低いパイロット副搬送波が割り当てられる。ＵＥ  ３には副搬送波５、６および７、ならびに第１の短シンボル期間の２番目および３番目に高いパイロット副搬送波、および第２の短シンボル期間の中間のパイロット副搬送波が割り当てられる。ＵＥ  ４には副搬送波８、９および１０、ならびに第１の短シンボル期間の最も高いパイロット副搬送波、および第２の短シンボル期間の最も高い２つのパイロット副搬送波が割り当てられる。
【００５１】
図１１Ｂに示された設計では、それぞれのＵＥに、合計５つの副搬送波、すなわち一方のスロット内の２つの副搬送波、および他方のスロット内の３つの副搬送波が割り当てられる。４つのＵＥには、２つのスロット内の同じＡＣＫ帯域幅（すなわち同じ合計数の副搬送波）が割り当てられる。しかし、それぞれのＵＥのＡＣＫ帯域幅割当ては、２つのスロット間で対称でない。それぞれのＵＥは、２つのスロット内のそのＵＥに割り当てられた副搬送波のリソース要素にそのＡＣＫをマッピングする。
【００５２】
一般に、ＭＩＭＯデータ伝送は、Ｌ個のリソースブロック対で送信され、関連するＡＣＫリソースは、Ｌ≧１として、各スロット内に２Ｌ個の副搬送波を含む。ＡＣＫリソースは、表２に示されるように、４つのＵＥに割り当てられる。表２で、ＡＣＫを送信するために使用される副搬送波はデータトーンと呼ばれ、パイロットを送信するために使用される副搬送波はパイロットトーンと呼ばれ、短シンボル期間は、短ブロック（ＳＢ：ｓｈｏｒｔ  ｂｌｏｃｋ）と呼ばれる。
【表２】
2010506505.tif 000004
【００５３】
表２で、
【数１】
2010506505.tif 000005
【００５４】
は、ｘ以下の最大整数値を提供する下限演算子（floor operator）を示し、
【数２】
2010506505.tif 000006
【００５５】
は、ｘ以上の最小整数値を提供する上限演算子（ceiling operator）を示す。Ｌ１からＬ４は、所与のＵＥのためのサブフレームの４つの短シンボル期間内のパイロットトーンの数であり、次式のように決定され得る。
【数３】
2010506505.tif 000007
【００５６】
ただし、Ｌ１＋Ｌ２＋Ｌ３＋Ｌ４＝Ｌ
表２で、列３、４、５および６は、それぞれＵＥ  １、２、３および４へのトーン割当てを示している。列３に示されるように、ＵＥ  １には、第１のスロットの
【数４】
2010506505.tif 000008
【００５７】
データトーン、および第２のスロットの
【数５】
2010506505.tif 000009
【００５８】
データトーン、第１のスロットの第１の短シンボル期間のＬ１パイロットトーンおよび第２の短シンボル期間のＬ２パイロットトーン、ならびに第２のスロットの第１の短シンボル期間のＬ３パイロットトーンおよび第２の短シンボル期間のＬ４パイロットトーンが割り当てられる。残りの各ＵＥのトーン割当てが、それぞれの列に示されている。
【００５９】
表２に示された設計では、それぞれのＵＥに、Ｌの値に関係なくサブフレームの２つのスロット内の合計Ｌ個のデータトーンが割り当てられる。これらのＬ個のデータトーンは、それぞれ異なるＬの値、またそれぞれ異なるＵＥについて異なるやり方で２つのスロット間で分散される。Ｌが奇数値の場合、それぞれＵＥに、一方のスロットの
【数６】
2010506505.tif 000010
【００６０】
個のデータトーン、および他方のスロットの
【数７】
2010506505.tif 000011
【００６１】
個のデータトーンが割り当てられる。
【００６２】
Ｌが偶数値の場合、
【数８】
2010506505.tif 000012
【００６３】
であり、それぞれＵＥに、各スロットのＬ／２データトーンが割り当てられる。
【００６４】
表２に示された設計では、Ｌの値に関係なく、それぞれのＵＥに、サブフレームの４つの短シンボル期間内の合計Ｌ個のパイロットトーンが割り当てられる。これらのＬ個のパイロットトーンは、Ｌのそれぞれ異なる値、またそれぞれ異なるＵＥについてそれぞれ異なるやり方で、４つの短シンボル期間の間で分散される。それぞれのＵＥには、Ｌの値に応じて、各スロットの各短シンボル期間の
【数９】
2010506505.tif 000013
【００６５】
または
【数１０】
2010506505.tif 000014
【００６６】
パイロットトーンが割り当てられる。Ｌ＝０の場合、Ｌ４からＬ１は、ゼロに等しい。Ｌが１インクリメントするごとに、Ｌ４からＬ１のうちの１つが、１だけインクリメントされる。Ｌ１、Ｌ３、Ｌ２およびＬ４は、以下のように、一度に１つ、Ｌ１から始めて循環的にインクリメントされる。
【数１１】
2010506505.tif 000015
【００６７】
表２に示されるように、それぞれのＵＥに、サブフレームの４つの短シンボル期間のＬ１、Ｌ２、Ｌ３およびＬ４パイロットトーンが割り当てられる。さらに、各短シンボル期間内に、Ｌ１＋Ｌ２＋Ｌ３＋Ｌ４＝Ｌ個の合計パイロットトーンが、４つのＵＥに割り当てられる。
【００６８】
表２は、４つのＵＥに、各スロット内の合計２Ｌ個のデータトーンおよび２つのスロットの４つの短シンボル期間内の合計４Ｌ個のパイロットトーンを備えるＡＣＫリソースが割り当てられている設計を示している。一般に、ＡＣＫリソースは、Ｍ≧１として、Ｍ個のＵＥに割り当てられる。それぞれのＵＥに、一方のスロット内の
【数１２】
2010506505.tif 000016
【００６９】
個のデータトーン、および他方のスロット内の
【数１３】
2010506505.tif 000017
【００７０】
個のデータトーンが割り当てられる。それぞれのＵＥには、次式のように示すことができる、４つの短シンボル期間のＬ１、Ｌ２、Ｌ３およびＬ４パイロットトーンも割り当てられるい。
【数１４】
2010506505.tif 000018
【００７１】
ただし、
【数１５】
2010506505.tif 000019
【００７２】
図７Ａから１１Ｂは、図４Ａに示されたスロット構造に基づくＡＣＫリソース上の４つのＵＥの周波数分割多重化を示している。複数のＵＥは、他のスロット構造に基づいて、ＡＣＫリソース上で多重化される。
【００７３】
図１２Ａは、図４Ｂに示されたスロット構造を有する１つのダウンリンクリソースブロック対に空間多重化された４つのＵＥのためのＡＣＫ構造１２１０の設計を示している。この設計では、ＵＥ  １に第１のスロットの副搬送波１が割り当てられ、ＵＥ  ２に第１のスロットの副搬送波２が割り当てられ、ＵＥ  ３に第２のスロットの副搬送波１が割り当てられ、ＵＥ  ４に第２のスロットの副搬送波２が割り当てられる。それぞれのＵＥは、そのＡＣＫを６つのリソース要素にマッピングし、そのＵＥに割り当てられた副搬送波およびスロット内の１つのリソース要素にパイロットシンボルをマッピングする。
【００７４】
図１２Ｂは、図４Ｂに示されたスロット構造を有する２つのダウンリンクリソースブロック対に空間多重化された４つのＵＥのためのＡＣＫ構造１２２０の設計を示している。各スロットで、ＵＥ  １に副搬送波１が割り当てられ、ＵＥ  ２に副搬送波２が割り当てられ、ＵＥ  ３に副搬送波３が割り当てられ、ＵＥ  ４に副搬送波４が割り当てられる。
【００７５】
図１２Ｃは、図４Ｂに示されたスロット構造を有する３つのダウンリンクリソースブロック対に空間多重化された４つのＵＥのためのＡＣＫ構造１２３０の設計を示している。第１のスロットでは、ＵＥ  １に副搬送波１および２が割り当てられ、ＵＥ  ２に副搬送波３および４が割り当てられ、ＵＥ  ３に副搬送波５が割り当てられ、ＵＥ  ４に副搬送波６が割り当てられる。第２のスロットでは、ＵＥ  １に副搬送波１が割り当てられ、ＵＥ  ２に副搬送波２が割り当てられ、ＵＥ  ３に副搬送波３および４が割り当てられ、ＵＥ  ４に副搬送波５および６が割り当てられる。それぞれのＵＥに、一方のスロット内の１つの副搬送波、および他方のスロットの２つの副搬送波が割り当てられる。
【００７６】
図１２Ｄは、図４Ｂに示されたスロット構造を有する４つのダウンリンクリソースブロック対に空間多重化された４つのＵＥのためのＡＣＫ構造１２４０の設計を示している。各スロットで、ＵＥ  １に副搬送波１および２が割り当てられ、ＵＥ  ２に副搬送波３および４が割り当てられ、ＵＥ  ３に副搬送波５および６が割り当てられ、ＵＥ  ４に副搬送波７および８が割り当てられる。
【００７７】
複数のＵＥは、ＴＤＭ、符号分割方式（ＣＤＭ：ｃｏｄｅ  ｄｉｖｉｓｉｏｎ  ｍｕｌｔｉｐｌｅｘｉｎｇ）など、他の多重方式を用いた他のやり方でＡＣＫリソース上で多重化することもできる。別の設計では、複数のＵＥは、ＴＤＭを使用してＡＣＫリソース上で多重化されてもよく、各ＵＥに、ＡＣＫリソースのためのシンボル期間の部分集合が割り当てられてもよい。複数のＵＥは、たとえばＦＤＭとＴＤＭ、ＴＤＭとＣＤＭなど、多重方式の組合せを使用して多重化される。複数のＵＥは、使用するのに選択された多重方式によって決まる他のＡＣＫ構造および他のスロット構造に基づいて多重化される。
【００７８】
図１３は、ＵＥによってＡＣＫ情報を送信するプロセス１３００の設計を示している。ＳＤＭＡを用いて複数のＵＥに送信されたデータ伝送が、複数のＵＥのうちの１つであるＵＥで受信される（ブロック１３１２）。データ伝送が、ＵＥに送信されたデータを回復するために処理される（ブロック１３１４）。回復されたデータについてのＡＣＫ情報（たとえばＡＣＫまたはＮＡＫ）が決定される（ブロック１３１６）。データ伝送用のＡＣＫリソースも決定される（ブロック１３１８）。ＡＣＫ情報は、ＵＥに割り当てられたＡＣＫリソースの一部にマッピングされ、複数のＵＥが、１つまたは複数の多重方式、たとえばＦＤＭおよび／またはＴＤＭに基づいてＡＣＫリソース上で多重化される（ブロック１３２０）。変調が、ＳＣ−ＦＤＭに基づいて、マッピングされたＡＣＫ情報に対して実施される（ブロック１３２２）。
【００７９】
ブロック１３１８では、ＡＣＫリソースの位置および／または量が、データ伝送に使用されたダウンリンクリソースの位置および／または量に基づいて決定される。ＵＥに割り当てられたＡＣＫリソースの量は、データ伝送で送信された層の数に基づいて決定される。データ伝送はＭ個のＵＥのためのＭ個の層を備える。ＡＣＫリソースは（たとえばＦＤＭおよび／またはＴＤＭを用いて）Ｍ個の部分に分割され、各層がＡＣＫリソースのそれぞれの部分に関連付けられる。ＵＥに割り当てられたＡＣＫリソースの部分はＵＥに送信された特定の層に基づいて決定される。
【００８０】
ブロック１３２０では、ＡＣＫ情報は、第１スロットの少なくとも１つの副搬送波の第１のセット、および第２のスロットの少なくとも１つの副搬送波の第２のセットにマッピングされる。ＡＣＫリソースは第１および第２のスロットに位置する。ＵＥに割り当てられたＡＣＫリソースの部分は少なくとも１つの副搬送波の第１および第２のセットを備える。あるいは、ＡＣＫ情報は複数のスロットのうちの１つのスロット内の少なくとも１つの副搬送波のセットにマッピングされる。ＡＣＫリソースは複数のスロットに位置し、ＵＥに割り当てられたＡＣＫリソースの部分は少なくとも１つの副搬送波のセットを備える。一般に、ＡＣＫ情報は少なくとも１つのスロット内の少なくとも１つの副搬送波にマッピングされる。少なくとも１つのパイロットシンボルは少なくとも１つの各スロット内にマッピングされ、たとえばＡＣＫリソースの割り当てられた部分の少なくとも１つのリソース要素にマッピングされる。ＡＣＫ情報のＡＣＫシンボルは、ＡＣＫリソースの割り当てられた部分の残りのリソース要素にマッピングされる。
【００８１】
図１４は、ＡＣＫ情報を送信するための装置１４００の設計を示している。装置１４００は、ＵＥで、ＳＤＭＡを用いて複数のＵＥに送信されたデータ伝送を受信するための手段（モジュール１４１２）と、ＵＥに送信されたデータを回復するためにデータ伝送を処理するための手段（モジュール１４１４）と、回復されたデータについてのＡＣＫ情報を決定するための手段（モジュール１４１６）と、データ伝送用のＡＣＫリソースを決定するための手段（モジュール１４１８）と、ＵＥに割り当てられたＡＣＫリソースの一部にＡＣＫ情報をマッピングするための手段であって、複数のＵＥがＡＣＫリソース上で多重化される手段（モジュール１４２０）と、ＳＣ−ＦＤＭに基づいてマップされたＡＣＫ情報への変調を実施するための手段（モジュール１４２２）とを含む。
【００８２】
図１５は、基地局、たとえばｅＮＢでＵＥからＡＣＫ情報を受信するプロセス１５００の設計を示している。データ伝送は、ＳＤＭＡで複数のＵＥに送信されてもよい（ブロック１５１２）。データ伝送用のＡＣＫリソースが決定されてもよい（ブロック１５１４）。（たとえばＦＤＭおよび／またはＴＤＭに基づいて）複数のＵＥに割り当てられたＡＣＫリソースの複数の部分が決定されてもよい（ブロック１５１６）。受信シンボルを取得するために、複数のＵＥから受信されたＳＣ−ＦＤＭ信号への復調を実施する（ブロック１５１８）。複数のＵＥのうちの対応する１つのＵＥによって送信されたＡＣＫ情報を取得するために、ＡＣＫリソースの複数の部分のそれぞれからの受信シンボルを処理する（ブロック１５２０）。
【００８３】
各ＵＥに割り当てられたＡＣＫリソースの部分は、それぞれ第１および第２のスロット内の少なくとも１つの副搬送波の第１および第２のセットを備える。この場合、受信シンボルは、第１のスロット内の少なくとも１つの副搬送波の第１のセットから、また第２のスロット内の少なくとも１つの副搬送波の第２のセットからも取得する。各ＵＥに割り当てられたＡＣＫリソースの部分は、複数のスロットのうちの１つスロット内の少なくとも１つの副搬送波のセットを備える。この場合、受信シンボルは、その１つのスロット内の少なくとも１つの副搬送波のセットから取得される。
【００８４】
それぞれのＵＥについて、少なくとも１つの受信パイロットシンボルが、そのＵＥに割り当てられたＡＣＫリソースの部分の少なくとも１つのリソース要素から取得される。チャネル利得推定値は、少なくとも１つの受信パイロットシンボルに基づいて導出される。受信されたＡＣＫシンボルは、ＡＣＫリソースの割り当てられた部分の残りのリソース要素から取得される。検出されたシンボルを取得するために、チャネル利得推定値を用いて受信ＡＣＫシンボルに対して検出を実施する。ＵＥによって送信されたＡＣＫ情報を取得するために、検出シンボルを処理する。
【００８５】
図１６は、ＡＣＫ情報を受信するための装置１６００の設計を示している。装置１６００は、ＳＤＭＡで複数のＵＥにデータ伝送を送信するための手段（モジュール１６１２）と、データ伝送用のＡＣＫリソースを決定するための手段（モジュール１６１４）と、複数のＵＥに割り当てられたＡＣＫリソースの複数の部分を決定するための手段（モジュール１６１６）と、受信シンボルを取得するために、複数ＵＥから受信されたＳＣ−ＦＤＭ信号への復調を実施するための手段（モジュール１６１８）と、複数のＵＥのうちの対応する１つのＵＥによって送信されたＡＣＫ情報を取得するためにＡＣＫリソースの複数の部分のそれぞれからの受信シンボルを処理するための手段（モジュール１６２０）とを含む。
【００８６】
図１４および図１６のモジュールは、プロセッサ、電子装置、ハードウェア装置、電子部品、論理回路、メモリなど、またはその任意の組合せを備える。
【００８７】
図１７は、１つのｅＮＢ  １１０、および２つのＵＥ  １２０ｘ、１２０ｙのブロック図を示している。ｅＮＢ  １１０は、複数の（Ｔ）アンテナ１７３４ａ〜１７３４ｔを備える。ＵＥ  １２０ｘは、単一のアンテナ１７５２ｘを備える。ＵＥ  １２０ｙは、複数の（Ｒ）アンテナ１７５２ａ〜１７５２ｒを備える。それぞれのアンテナは、物理的なアンテナであっても、アンテナアレイであってもよい。
【００８８】
ｅＮＢ  １１０で、ＴＸデータ・制御プロセッサ１７２０は、サービスされている１つまたは複数のＵＥのためにデータ送信装置１７１２からトラヒックデータを受信する。プロセッサ１７２０は、データシンボルを取得するために、そのＵＥ用に選択された変調および符号化方式に基づいて、各ＵＥのトラヒックデータを処理する（たとえばフォーマットし、符号化し、インタリーブし、シンボルマッピングする）。プロセッサ１７２０は、制御情報を受信し処理し、制御シンボルを生成する。プロセッサ１７２０は、パイロットシンボルを生成し、データシンボルおよび制御シンボルと多重化する。データシンボルはデータを表すシンボルであり、制御シンボルは制御情報を表すシンボルであり、パイロットシンボルはパイロットを表すシンボルであり、シンボルは一般に複素値である。データ、制御およびパイロットシンボルは、ＰＳＫやＱＡＭなどの変調方式からの変調シンボルであり得る。パイロットは、ｅＮＢとＵＥの両方によって事前に知られているデータである。
【００８９】
ＴＸ  ＭＩＭＯプロセッサ１７３０は、プロセッサ１７２０からのシンボルを処理する。プロセッサ１７３０は、直接ＭＩＭＯマッピング、プレコーディング／ビームフォーミングなどを実施する。データシンボルは、直接ＭＩＭＯマッピング用の１つのアンテナ、またはプレコーディング／ビームフォーミング用の複数のアンテナから送信される。プロセッサ１７３０は、Ｔ個の出力シンボルストリームを、Ｔ個の変調器（ＭＯＤ）１７３２ａ〜１７３２ｔに提供する。それぞれの変調器１７３２は、出力チップストリームを取得するために、（たとえばＯＦＤＭの）その出力シンボルストリームを処理する。それぞれの変調器１７３２はさらに、その出力チップストリームを調節し（たとえばアナログに変換し、フィルタリングし、増幅し、アップコンバートし）、ダウンリンク信号を生成する。変調器１７３２ａ〜１７３２ｔからのＴ個のダウンリンク信号は、それぞれＴ個のアンテナ１７３４ａ〜１７３４ｔから送信される。
【００９０】
それぞれのＵＥ  １２０で、１つまたは複数のアンテナ１７５２は、ｅＮＢ  １１０からダウンリンク信号を受信する。それぞれのアンテナ１７５２は、受信された信号をそれぞれの復調器（ＤＥＭＯＤ：ｄｅｍｏｄｕｌａｔｏｒ）１７５４に供給する。それぞれの復調器１７５４は、サンプルを取得するためにその受信信号を調節し（たとえばフィルタリングし、増幅し、ダウンコンバートし、ディジタル化し）、（たとえばＯＦＤＭの）受信シンボルを取得するためにサンプルをさらに処理する。
【００９１】
単一アンテナＵＥ  １２０ｘでは、データ検出器１７６０ｘは、受信シンボルに対してデータ検出（たとえばマッチトフィルタリングまたは等化）を実施し、シンボル推定値を提供する。ＲＸデータ・制御プロセッサ１７７０ｘは、復号されたデータおよび制御情報を取得するためにシンボル推定値を処理する（たとえばシンボルデマッピングし、ディインタリーブし、復号する）。マルチアンテナＵＥ  １２０ｙでは、ＭＩＭＯ検出器１７６０ｙは、受信シンボルに対してＭＩＭＯ検出を実施し、シンボル推定値を提供する。ＲＸデータプロセッサ１７７０ｙは、復号されたデータおよび制御情報を取得するために、シンボル推定値を処理する。
【００９２】
ＵＥ  １２０ｘおよび１２０ｙは、ｅＮＢ  １１０に、アップリンクに関するトラヒックデータおよび／または制御情報を送信する。制御情報は、ＡＣＫ、ＣＱＩなどを備える。各ＵＥ  １２０で、データ送信装置１７９２からのトラヒックデータ、およびコントローラ／プロセッサ１７８０からの制御情報（たとえばＡＣＫ、ＣＱＩなど）は、ＴＸデータ・制御プロセッサ１７９４によって処理され、１つまたは複数の出力シンボルストリームを取得するために（適用可能であれば）ＴＸ  ＭＩＭＯプロセッサ１７９６によってさらに処理される。１つまたは複数の変調器１７５４は、１つまたは複数の出力チップストリームを取得するために（たとえばＳＣ−ＦＤＭの）出力シンボルストリームを処理し、１つまたは複数のアンテナ１７５２を介して送信され得る１つまたは複数のアップリンク信号を取得するために出力チップストリームをさらに調節する。ｅＮＢ  １１０で、ＵＥ１２０ｘ、１２０ｙからのアップリンク信号は、アンテナ１７３４ａ〜１７３４ｔによって受信され、復調器１７３２ａ〜１７３２ｔによって調節され処理され、ＵＥによって送信されたトラヒックデータおよび制御情報を回復するためにＭＩＭＯ検出器１７３６およびＲＸデータ・制御プロセッサ１７３８によってさらに処理される。
【００９３】
コントローラ／プロセッサ１７４０、１７８０ｘ、１７８０ｙは、それぞれｅＮＢ  １１０、およびＵＥ  １２０ｘ、１２０ｙの動作を指示する。メモリ１７４２、１７８２ｘ、１７８２ｙは、それぞれｅＮＢ  １１０、およびＵＥ  １２０ｘ、１２０ｙのためにデータおよびプログラムコードを格納する。スケジューラ１７４４は、ダウンリンクおよび／またはアップリンク伝送のためにＵＥをスケジューリングし、スケジューリングされたＵＥへのリソースの割当てを提供する。
【００９４】
図１８は、ＴＸデータ・制御プロセッサ１７９４、およびＳＣ−ＦＤＭ変調器１７５４の設計のブロック図を示している。プロセッサ１７９４は、図１７の各プロセッサ１７９４ｘ、１７９４ｙに使用されてもよい。変調器１７５４は、変調器１７５４ａ〜１７５４ｒ、および図１７の変調器１７５４ｘのそれぞれに使用される。
【００９５】
プロセッサ１７９４内で、ＴＸ制御プロセッサ１８１０は、サブフレームで送信されているＣＱＩおよび／またはＡＣＫ情報を受信し処理する。ある設計では、ＡＣＫ情報だけが送信されている場合、プロセッサ１８１０は、たとえばＡＣＫをあるＱＰＳＫ値に、またＮＡＫを別のＱＰＳＫ値にマッピングすることによって、各層に対するＡＣＫまたはＮＡＫを表すＡＣＫシンボルを生成する。次いで、プロセッサ１８１０は、ＡＣＫの送信に使用された各リソース要素について１つのシンボルを取得するために、各層に関するＡＣＫシンボルを繰り返えす。別の設計では、プロセッサ１８１０は、Ｚａｒｄｏｆｆ−Ｃｈｕ系列、汎用チャープ状（ＧＣＬ：ｇｅｎｅｒａｌｉｚｅｄ  ｃｈｉｒｐ−ｌｉｋｅ）などのＣＡＺＡＣ（一定振幅ゼロ自己相関）系列に基づいて、各層のＡＣＫシンボルを生成する。ＣＱＩ情報だけが送信されている場合、プロセッサ１８１０は、符号ビットを取得するためにＣＱＩ情報を符号化し、次いで、符号ビットを変調シンボルにマッピングする。ＣＱＩとＡＣＫの両方が送信されている場合、プロセッサ１８１０は、符号ビットを取得するためにＣＱＩとＡＣＫ情報を共に符号化し、符号ビットを変調シンボルにマッピングする。あるいは、プロセッサ１８１０は、ＣＱＩとＡＣＫ情報を別々に処理し、次いで、ＣＱＩおよびＡＣＫの変調シンボルを多重化する。プロセッサ１８１０は、ＣＱＩおよび／またはＡＣＫの変調シンボルを別のやり方で生成することもできる。
【００９６】
ＴＸデータプロセッサ１８１２は、データを受信し、符号ビットを取得するために符号化方式に基づいて符号化し、符号ビットをインタリーブし、インタリーブされたビットを変調方式に基づいて変調シンボルにマッピングする。マルチプレクサ（Ｍｕｘ：ｍｕｌｔｉｐｌｅｘｅｒ）１８１４は、プロセッサ１８１０、１８１２からのシンボルを多重化する。マルチプレクサ１８１４からのシンボルは、ＵＥ  １２０ｙ（図１８に示されていない）で、ＴＸ  ＭＩＭＯプロセッサ１７９６ｙによって処理される。
【００９７】
変調器１７５４は、（図１８に示された）プロセッサ１７９４、または（図１８に示されていない）プロセッサ１７９６ｙからの出力シンボルに対してＳＣ−ＦＤＭを実施する。変調器１７５４内で、シリアル−パラレル変換器（ＳＩＰ：ｓｅｒｉａｌ−ｔｏ−ｐａｒａｌｌｅｌ  ｃｏｎｖｅｒｔｅｒ）１８２０は、出力シンボルを受信し、Ｑを送信に使用されている副搬送波の数として各シンボル期間にＱ個の出力シンボルを提供する。離散的フーリエ変換（ＤＦＴ：ｄｉｓｃｒｅｔｅ  Ｆｏｕｒｉｅｒ  ｔｒａｎｓｆｏｒｍ）装置１８２２は、Ｑ個の出力シンボルへのＱ点のＤＦＴを実施し、Ｑ個の周波数領域シンボルを提供する。スペクトル整形装置１８２４は、Ｑ個の周波数領域シンボルへのスペクトル整形を実施し、スペクトル整形されたＱ個のシンボルを提供する。シンボル−副搬送波マッピング装置１８２６は、スペクトル整形されたＱ個のシンボルを、伝送に使用されるＱ個の副搬送波にマッピングし、ゼロシンボルを残りの副搬送波にマッピングする。逆ＤＦＴ（ＩＤＦＴ：ｉｎｖｅｒｓｅ  ＤＦＴ）装置１８２８は、合計Ｎ個の副搬送波のＮ個のマッピングされたシンボルを受信し、これらのＮ個のシンボルへのＮ点ＩＤＦＴを実施し、Ｎ個の時間領域出力チップを提供する。パラレル−シリアルコンバータ（Ｐ／Ｓ：ｐａｒａｌｌｅｌ−ｔｏ−ｓｅｒｉａｌ  ｃｏｎｖｅｒｔｅｒ）１８３０は、Ｎ個の出力チップをシリアル化し、ＳＣ−ＦＤＭシンボルの有用な部分を提供する。サイクリックプレフィックス発生器１８３２は、Ｎ＋Ｃ個の出力チップを含むＳＣ−ＦＤＭシンボルを形成するために、その有用部分の最後のＣ個の出力チップをコピーし、有用部分の前方にこれらのＣ個の出力チップを付ける。ＳＣ−ＦＤＭシンボルは、Ｎ＋Ｃチップ期間と等しいことがある１つのＳＣ−ＦＤＭシンボル期間内に送信される。
【００９８】
図１９は、ＳＣ−ＦＤＭ復調器１７３２、およびＲＸデータ・制御プロセッサ１７３８の設計のブロック図を示している。復調器１７３２は、図１７の復調器１７３２ａ〜１７３２ｔの各復調器に使用される。復調器１７３２内で、サイクリックプレフィックス削除ユニット１９１０は、各ＳＣ−ＦＤＭシンボル期間にＮ＋Ｃ個の受信サンプルを取得し、サイクリックプレフィックスに対応するＣ個の受信サンプルを削除し、受信ＳＣ−ＦＤＭシンボルの有用部分のためのＮ個の受信サンプルを提供する。Ｓ／Ｐ  １９１２は、Ｎ個の受信サンプルを並列に提供する。ＤＦＴユニット１９１４は、Ｎ個の受信サンプルへのＮ点ＤＦＴを実施し、合計Ｎ個の副搬送波のＮ個の受信シンボルを提供する。これらのＮ個の受信シンボルは、ｅＮＢ  １１０に送信するすべてのＵＥからのデータおよび制御情報を含む。１つのＵＥから制御情報および／またはデータを回復するための処理について下記に述べられる。
【００９９】
シンボル−搬送波デマッピング装置１９１６は、ＵＥによって使用されるＱ個の副搬送波からのＱ個の受信シンボルを提供し、残りの受信シンボルを廃棄する。装置１９１６は、装置１９１８に受信データおよび／または制御シンボルを提供し、受信パイロットシンボルをチャネル推定器１９２０に提供する。チャネル推定器１９２０は、受信パイロットシンボルに基づいてチャネル利得推定値を導出する。装置１９１８は、ＵＥによって実施されたスペクトル整形に基づいて、受信データおよび／または制御シンボルを基準化する。データ検出器１９２２は、チャネル利得推定値を用いて、基準化されたシンボルに対してデータ検出（たとえばマッチトフィルタリング、等化など）を実施し、検出されたＱ個のシンボルを提供する。ＩＤＦＴ装置１９２４は、Ｑ個の検出シンボルに対してＱ点ＩＤＦＴを実施し、復調されたＱ個のシンボルを提供する。Ｐ／Ｓ  １９２６は、復調されたシンボルをシリアル化する。
【０１００】
プロセッサ１７３８内で、デマルチプレクサ１９３０は、制御情報の復調シンボルをＲＸ制御プロセッサ１９３２に提供し、データの復調シンボルをＲＸデータプロセッサ１９３４に提供する。ＲＸ制御プロセッサ１９３２は、その復調シンボルを処理し、デコードされた制御情報、たとえばＡＣＫおよび／またはＣＱＩを提供する。ＲＸデータプロセッサ１９３４は、その復調シンボルを処理し（たとえばシンボルデマッピングし、ディインタリーブし、復号し）、復号されたデータを提供する。
【０１０１】
情報および信号は、様々な異なる技術および技法のいずれかを使用して表され得ることが当業者には理解されよう。たとえば、上記説明を通じて参照することができるデータ、命令、コマンド、情報、信号、ビット、シンボルおよびチップは、電圧、電流、電磁波、磁場または粒子、光場または粒子、あるいはその任意の組合せによって表すことができる。
【０１０２】
本明細書の開示に関連して述べられた様々な例示的な論理ブロック、モジュール、回路およびアルゴリズムステップは、電子ハードウェア、コンピュータソフトウェア、または両方の組合せとして実装されてもよいことが当業者にはさらに理解されよう。ハードウェアとソフトウェアのこの交換可能性について明確に示すために、様々な例示的なコンポーネント、ブロック、モジュール、回路およびステップは、一般にその機能性面について上記に述べられている。こうした機能性がハードウェアとして実装されるか、それともソフトウェアとして実装されるかは、システム全体に課された特定の応用例および設計の制約によって決まる。当業者は、それぞれの特定の応用例について、述べられた機能性を様々なやり方で実施することができるが、こうした実施決定は、本開示の範囲からの逸脱をもたらすものと解釈すべきではない。
【０１０３】
本明細書の開示に関連して述べられた様々な例示的な論理ブロック、モジュール、回路は、汎用プロセッサ、ディジタル信号プロセッサ（ＤＳＰ：ｄｉｇｉｔａｌ  ｓｉｇｎａｌ  ｐｒｏｃｅｓｓｏｒ）、特定用途向け集積回路（ＡＳＩＣ：ａｐｐｌｉｃａｔｉｏｎ  ｓｐｅｃｉｆｉｃ  ｉｎｔｅｇｒａｔｅｄ  ｃｉｒｃｕｉｔ）、フィールドプログラマブルゲートアレイ（ＦＰＧＡ：ｆｉｅｌｄ  ｐｒｏｇｒａｍｍａｂｌｅ  ｇａｔｅ  ａｒｒａｙ）または他のプログラマブル論理デバイス、個別ゲートまたはトランジスタ論理、個別のハードウェアコンポーネント、あるいは本明細書に述べられた諸機能を実施するように設計されたその任意の組合せで実装され、または実施されてもよい。汎用プロセッサは、マイクロプロセッサであってもよいが、別法では、プロセッサは、従来のプロセッサ、コントローラ、マイクロコントローラまたはあるいはステートマシンであってもよい。プロセッサは、コンピューティング装置の組合せ、たとえばＤＳＰとマイクロプロセッサの組合せ、複数のマイクロプロセッサ、ＤＳＰコアと連携する１つまたは複数のマイクロプロセッサ、あるいは他の任意のこうした構成として実装することもできる。
【０１０４】
本明細書の開示に関連して述べられた方法およびアルゴリズムの諸ステップは、ハードウェアで直接に、プロセッサによって実行されたソフトウェアモジュールで、またはその２つの組合せで実施されてもよい。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、取外し可能ディスク、ＣＤ−ＲＯＭ、あるいは当技術分野において知られている他の任意の形の記憶媒体に常駐してもよい。例示的な記憶媒体は、プロセッサが記憶媒体から情報を読み出し、そこに情報を書き込むことができるようにプロセッサに結合される。別法では、記憶媒体は、プロセッサと一体化されてもよい。プロセッサおよび記憶媒体は、ＡＳＩＣに常駐してもよい。ＡＳＩＣは、ユーザ端末に常駐してもよい。別法では、プロセッサおよび記憶媒体は、ユーザ端末の個別部品として常駐してもよい。
【０１０５】
１つまたは複数の例示的な設計では、述べられた諸機能は、ハードウェア、ソフトウェア、ファームウェアまたはその任意の組合せで実装されてもよい。ソフトウェアで実装される場合、諸機能は、コンピュータ読取り可能媒体内に１つまたは複数の命令またはコードとして格納され、または送信されてもよい。コンピュータ読取り可能媒体は、コンピュータプログラムをある場所から別の場所に転送することを容易にする任意の媒体を含むコンピュータ記憶媒体と通信媒体の両方を含む。記憶媒体は、汎用または特別目的コンピュータによってアクセスすることができる任意の使用可能な媒体であってもよい。限定のためではなく、例を挙げると、こうしたコンピュータ読取り可能媒体は、ＲＡＭ、ＲＯＭ、ＥＥＰＲＯＭ、ＣＤ−ＲＯＭまたは他の光ディスク記憶装置、磁気ディスク記憶装置または他の磁気記憶装置、あるいは所望のプログラムコード手段を命令またはデータ構造体の形で搬送しまたは格納するために使用することができ、汎用または特別目的コンピュータによって、あるいは汎用または特別目的プロセッサによってアクセスすることができる他の任意の媒体を備えることができる。また、いずれの接続も適切に、コンピュータ読取り可能媒体と呼ばれる。たとえば、ソフトウェアがウェブサイト、サーバ、あるいは同軸ケーブル、光ファイバケーブル、ツイストペア線、ディジタル加入者線（ＤＳＬ：ｄｉｇｉｔａｌ  ｓｕｂｓｃｒｉｂｅｒ  ｌｉｎｅ）、または赤外線、無線およびマイクロ波などの無線技術を使用した他の遠隔ソースから送信される場合、同軸ケーブル、光ファイバケーブル、ツイストペア線、ＤＳＬ、または赤外線、無線およびマイクロ波などの無線技術は、媒体の定義に含まれる。本明細書では、ディスク（ｄｉｓｋ、ｄｉｓｃ）は、コンパクトディスク（ＣＤ：ｃｏｍｐａｃｔ  ｄｉｓｃ）、レーザディスク、光ディスク、ディジタル多用途ディスク（ＤＶＤ：ｄｉｇｉｔａｌ  ｖｅｒｓａｔｉｌｅ  ｄｉｓｃ）、フロッピー（登録商標）ディスクおよびブルーレイディスクを含み、ディスク（ｄｉｓｋ）は通常、データを磁気的に再生し、ディスク（ｄｉｓｃ）はデータをレーザで光学的に再生する。上記内容の組合せもまた、コンピュータ読取り可能媒体の範囲内に含まれるべきである。
【０１０６】
本開示の上記説明は、どんな当業者もが本開示を作成しまたは使用することを可能にするために提供されている。本開示への様々な修正が当業者には容易に明らかになり、本明細書に定義された一般的な原理は、本開示の精神または範囲から逸脱せずに他の変形形態に適用され得る。したがって、本開示は、本明細書に述べられた諸実施例および設計に限定されるものでないが、本明細書に開示された諸原理および新規な特徴に一致する最も広い範囲が与えられるものである。
【図１】
2010506505.tif 000020
【図２】
2010506505.tif 000021
【図３】
2010506505.tif 000022
【図４Ａ】
2010506505.tif 000023
【図４Ｂ】
2010506505.tif 000024
【図５Ａ】
2010506505.tif 000025
【図５Ｂ】
2010506505.tif 000026
【図６Ａ】
2010506505.tif 000027
【図６Ｂ】
2010506505.tif 000028
【図７Ａ】
2010506505.tif 000029
【図７Ｂ】
2010506505.tif 000030
【図８Ａ】
2010506505.tif 000031
【図８Ｂ】
2010506505.tif 000032
【図８Ｃ】
2010506505.tif 000033
【図９Ａ】
2010506505.tif 000034
【図９Ｂ】
2010506505.tif 000035
【図１０Ａ】
2010506505.tif 000036
【図１０Ｂ】
2010506505.tif 000037
【図１１Ａ】
2010506505.tif 000038
【図１１Ｂ】
2010506505.tif 000039
【図１２Ａ】
2010506505.tif 000040
【図１２Ｂ】
2010506505.tif 000041
【図１２Ｃ】
2010506505.tif 000042
【図１２Ｄ】
2010506505.tif 000043
【図１３】
2010506505.tif 000044
【図１４】
2010506505.tif 000045
【図１５】
2010506505.tif 000046
【図１６】
2010506505.tif 000047
【図１７】
2010506505.tif 000048
【図１８】
2010506505.tif 000049
【図１９】
2010506505.tif 000050
【国際調査報告】
2010506505.tif 000051